(57)【要約】【課題】ユーザが改質水カートリッジの適切な購入数を把握しやすくする。【解決手段】情報処理装置１は、情報取得部１０と、算出部１２とを備える。情報取得部１０は、改質水カートリッジの種類を示す第１情報、及び所定期間における改質水の使用量を推定するための第２情報を取得する。算出部１２は、第１情報及び第２情報に基づき、特定期間における第１情報が示す改質水カートリッジの必要な数と、第１情報が示す改質水カートリッジの１つ当たりの使用可能期間とのうち少なくともいずれか一方である目安情報を算出する。【選択図】図１
2020121258.tif 000002
【特許請求の範囲】
【請求項１】
水の改質に用いられる改質水カートリッジの種類を示す第１情報が入力操作部によって入力されたことに基づき前記第１情報を取得するとともに、所定期間における改質水の使用量を推定するための第２情報が前記入力操作部によって入力されたことに基づき前記第２情報を取得する情報取得部と、
前記情報取得部が取得した前記第１情報及び前記第２情報に基づき、特定期間における前記第１情報が示す前記改質水カートリッジの必要な数と、前記第１情報が示す前記改質水カートリッジの１つ当たりの使用可能期間とのうち少なくともいずれか一方である目安情報を算出する算出部と、
を備えた情報処理装置。
【請求項２】
前記情報取得部は、前記改質水カートリッジが用いられる水栓装置の種類を示す第３情報が前記入力操作部によって入力されたことに基づき前記第３情報を取得するものであり、
前記情報取得部によって取得された前記第３情報が示す前記水栓装置の種類に基づき、予め記憶された複数の前記第１情報のうち一部の前記第１情報が示す前記改質水カートリッジを選択肢として表示部に表示させる表示制御部を備える請求項１に記載の情報処理装置。
【請求項３】
前記情報取得部は、前記改質水カートリッジが用いられる水栓装置の種類を示す第３情報が前記入力操作部によって入力されたことに基づき前記第３情報を取得するものであり、
前記算出部は、前記情報取得部によって取得された前記第３情報が示す前記水栓装置の種類に基づき、前記目安情報を算出する請求項１または請求項２に記載の情報処理装置。
【請求項４】
前記情報取得部は、前記改質水カートリッジが用いられる水回りの場所を示す第４情報が前記入力操作部によって入力されたことに基づき前記第４情報を取得するものであり、
前記情報取得部によって取得された前記第４情報が示す水回りの場所に基づき、予め記憶された複数の前記第１情報のうち一部の前記第１情報が示す前記改質水カートリッジを選択肢として表示部に表示させる表示制御部を備える請求項１に記載の情報処理装置。
【請求項５】
前記情報取得部は、前記改質水カートリッジが用いられる水回りの場所を示す第４情報が前記入力操作部によって入力されたことに基づき前記第４情報を取得するものであり、
前記算出部は、前記情報取得部によって取得された前記第４情報が示す水回りの場所に基づき、目安情報を算出する請求項１から請求項４のうちいずれか１項に記載の情報処理装置。
【請求項６】
コンピュータを、請求項１から請求項５のいずれか１項に記載の情報処理装置として機能させるためのプログラム。
【発明の詳細な説明】
【技術分野】
【０００１】
本発明は情報処理装置およびプログラムに関するものである。
【背景技術】
【０００２】
特許文献１は、原水を改質するシステムの一種である浄水器システムを開示している。この特許文献１が開示する浄水器システムは、浄水器と、この浄水器と通信する携帯通信装置とを備える。この浄水器システムにおける浄水器は、カートリッジを用いて原水を濾過して浄水とする装置である。この浄水器は、上記カートリッジの使用量を示す情報を検出するセンサを備えており、このセンサによって検出した使用量を示す情報を上記携帯通信装置に送信する。携帯通信装置は、上記使用量を示す情報に基づいて予測された交換時期が到来すると、カートリッジの交換を促す情報を出力する。ユーザは、情報通信操作から出力された情報を確認することによって、カートリッジの交換時期が到来したことを認識することができる。
【先行技術文献】
【特許文献】
【０００３】
【特許文献１】国際公開第２０１８／１２４２９１号
【発明の概要】
【発明が解決しようとする課題】
【０００４】
ユーザは、カートリッジの交換時期が到来した場合に、直ちにカートリッジを交換するためには、カートリッジを予め購入して交換に備えておく必要がある。また、ユーザは、カートリッジを予め購入しておく場合、ある程度まとめて購入しておくことが効率面で有利である。その一方、ユーザは、カートリッジを過剰に購入してしまうと、収納場所の確保に困るおそれがある。このため、ユーザは、適度な数のカートリッジを購入しておくことが望ましい。しかし、カートリッジ１つ当たりの使用可能期間は、浄水の使用頻度やカートリッジの種類に応じて異なる。このため、ユーザは、ある期間分（例えば一年分）に必要なカートリッジを購入しようとしても、いくつ購入するのが適切であるかを把握することが困難であった。
【０００５】
本発明は、上記従来の実情に鑑みてなされたものであって、ユーザが改質水カートリッジの適切な購入数を把握しやすくする技術を提供することを解決すべき課題としている。
【課題を解決するための手段】
【０００６】
本発明の情報処理装置は、
水の改質に用いられる改質水カートリッジの種類を示す第１情報が入力操作部によって入力されたことに基づき前記第１情報を取得するとともに、所定期間における改質水の使用量を推定するための第２情報が前記入力操作部によって入力されたことに基づき前記第２情報を取得する情報取得部と、
前記情報取得部が取得した前記第１情報及び前記第２情報に基づき、特定期間における前記第１情報が示す前記改質水カートリッジの必要な数と、前記第１情報が示す前記改質水カートリッジの１つ当たりの使用可能期間とのうち少なくともいずれか一方である目安情報を算出する算出部と、
を備える。
【０００７】
この情報処理装置は、ユーザが入力操作部によって改質水カートリッジの種類を示す第１情報、及び所定期間における改質水の使用量を推定するための第２情報を入力した場合に、これらの第１情報及び第２情報を情報取得部によって取得する。そして、算出部が、上記第１情報及び上記第２情報に基づき、特定期間における上記第１情報が示す改質水カートリッジの必要な数と、第１情報が示す改質水カートリッジの１つ当たりの使用可能期間とのうち少なくともいずれか一方である目安情報を算出する。即ち、ユーザは、入力操作部によって第１情報及び第２情報を入力するだけで、上記目安情報を情報処理装置に算出させることができる。
【０００８】
したがって、ユーザは改質水カートリッジの適切な購入数を容易に把握することができる。
【０００９】
本発明のプログラムは、
コンピュータを、上述した情報処理装置として機能させるためのプログラムである。
【００１０】
本発明のプログラムは、上述した情報処理装置と同様の効果を奏する。
【図面の簡単な説明】
【００１１】
【図１】情報処理装置の機能ブロック図である。
【図２】制御部のハード構成を示す説明図である。
【図３】（Ａ）は、登録処理において水回りの場所を入力させるための画像を例示した説明図である。（Ｂ）は、登録処理において水栓装置の種類を入力させるための画像を例示した説明図である。（Ｃ）は、登録処理において浄水カートリッジの種類を入力させるための画像を例示した説明図である。
【図４】（Ｄ）は、登録処理において浄水カートリッジの利用開始日を入力させるための画像を例示した説明図である。（Ｅ）は、登録処理が完了したことをユーザに報知するための画像を例示した説明図である。
【図５】（Ａ）は、診断処理において水回りの場所を入力させるための画像を例示した説明図である。（Ｂ）は、キッチンが選択された場合の診断処理において世帯人数を入力させるための画像を例示した説明図である。（Ｃ）は、キッチンが選択された場合の診断処理において調理頻度を入力させるための画像を例示した説明図である。
【図６】（Ｄ）は、キッチンが選択された場合の診断処理において下準備における浄水の使用方法を入力させるための画像を例示した説明図である。（Ｅ）は、キッチンが選択された場合の診断処理において浄水を利用する料理を入力させるための画像を例示した説明図である。（Ｆ）は、キッチンが選択された場合の診断結果をユーザに報知するための画像を例示した説明図である。
【図７】（Ａ）は、浴室が選択された場合の診断処理において世帯人数を入力させるための画像を例示した説明図である。（Ｂ）は、浴室が選択された場合の診断処理において髪の長さを入力させるための画像を例示した説明図である。（Ｃ）は、浴室が選択された場合の診断処理において入浴頻度を入力させるための画像を例示した説明図である。（Ｄ）は、浴室が選択された場合の診断結果をユーザに報知するための画像を例示した説明図である。
【図８】（Ａ）は、登録後処理において浄水カートリッジの交換予定時期を示す画像を例示した説明図である。（Ｂ）は、登録後処理において浄水カートリッジの交換予定時期が近付いたときに表示される画像を例示した説明図である。（Ｃ）は、登録後処理において確認ボタンが操作された後に表示される画像を例示した説明図である。（Ｄ）は、登録後処理において浄水カートリッジの交換予定時期がすぎたことを示す画像を例示した説明図である。
【発明を実施するための形態】
【００１２】
本発明における好ましい実施の形態を説明する。
【００１３】
前記情報取得部は、前記改質水カートリッジが用いられる水栓装置の種類を示す第３情報が前記入力操作部によって入力されたことに基づき前記第３情報を取得することができる。本発明の情報処理装置は、前記情報取得部によって取得された前記第３情報が示す前記水栓装置の種類に基づき、予め記憶された複数の前記第１情報のうち一部の前記第１情報が示す前記改質水カートリッジを選択肢として表示部に表示させる表示制御部を備えることができる。
この構成によれば、この情報処理装置は、改質水カートリッジが用いられる水栓装置の種類に基づき、複数種類の改質水カートリッジのうち一部の改質水カートリッジを選択肢としてユーザに提示することができる。このため、この情報処理装置は、全ての改質水カートリッジを選択肢として表示させる場合と比較して、ユーザが自身の利用する改質水カートリッジを見つける作業を軽減することができる。
【００１４】
前記情報取得部は、前記改質水カートリッジが用いられる水栓装置の種類を示す第３情報が前記入力操作部によって入力されたことに基づき前記第３情報を取得することができる。前記算出部は、前記情報取得部によって取得された前記第３情報が示す前記水栓装置の種類に基づき、前記目安情報を算出することができる。
この構成によれば、この情報処理装置の算出部は、ユーザによって選択された水栓装置の種類に基づき、上記目安情報を算出することができる。このため、この情報処理装置は、ユーザが入力操作部によって選択した水栓装置の種類を、算出部の算出結果に反映させることができる。
【００１５】
前記情報取得部は、前記改質水カートリッジが用いられる水回りの場所を示す第４情報が前記入力操作部によって入力されたことに基づき前記第４情報を取得することができる。本発明の情報処理装置は、前記情報取得部によって取得された前記第４情報が示す水回りの場所に基づき、予め記憶された複数の前記第１情報のうち一部の前記第１情報が示す前記改質水カートリッジを選択肢として表示部に表示させる表示制御部を備えることができる。
この構成によれば、この情報処理装置は、改質水カートリッジが用いられる水回りの場所に基づき、複数種類の改質水カートリッジのうち一部の改質水カートリッジを選択肢としてユーザに提示することができる。この情報処理装置は、全ての改質水カートリッジを選択肢として表示させる場合と比較して、ユーザが自身の利用する改質水カートリッジを見つける作業を軽減することができる。
【００１６】
前記情報取得部は、前記改質水カートリッジが用いられる水回りの場所を示す第４情報が前記入力操作部によって入力されたことに基づき前記第４情報を取得することができる。前記算出部は、前記情報取得部によって取得された前記第４情報が示す水回りの場所に基づき、目安情報を算出することができる。
この構成によれば、この情報処理装置の算出部は、ユーザによって選択された水回りの場所に基づき、上記目安情報を算出することができる。このため、この情報処理装置は、ユーザが入力操作部によって選択した水回りの場所を、算出部の算出結果に反映させることができる。
【００１７】
次に、本発明の情報処理装置を具体化した実施例１について、図面を参照しつつ説明する。
【００１８】
＜実施例１＞
実施例１の情報処理装置１は、例えばスマートフォンなどの情報端末であり、外部の装置と通信し得る。この情報処理装置１は、図１に示すように、入力操作部３と、表示部５と、制御部７とを備える。入力操作部３及び表示部５は、例えば公知のタッチパネルとして構成されている。入力操作部３及び表示部５の各々は、制御部７に電気的に接続されている。入力操作部３によって入力された情報は、制御部７に取得される。制御部７は、入力操作部３によって入力された情報に応じた内容を表示部５の表示画面に表示させ得る。
【００１９】
制御部７は、図２に示すように、ＣＰＵ等のプロセッサ１６、ＲＯＭやＲＡＭ等のメモリ１７などを有している。制御部７は、情報取得部１０、算出部１２及び表示制御部１４を有する（図１参照）。より具体的には、制御部７は、メモリ１７に記憶されたプログラム１８に従ってプロセッサ１６が後述する処理を実行することによって、情報取得部１０、算出部１２及び表示制御部１４としての機能を実現する。
【００２０】
プログラム１８は、ユーザが水栓装置に用いられる浄水カートリッジを一定期間分まとめて購入する際に、購入すべき適切な数を把握するためのアプリケーションプログラムである。このプログラム１８は、例えば情報処理装置１と通信可能なサーバ装置からダウンロードされて、制御部７のメモリ１７にインストールされる。
【００２１】
浄水カートリッジは、水栓装置から吐出させる水（原水）を浄化するために用いられるものであり、本発明の改質水カートリッジの一例に相当する。浄水カートリッジは、原水を浄化することによって、原水から塩素や濁りを除去して浄水に改質する。この浄水カートリッジは、原水を浄化することに伴って消耗するので、浄化した量が一定量に達すると十分に浄化することができなくなり、交換が必要となる。
【００２２】
この浄水カートリッジは、複数種類存在する。この浄水カートリッジが利用される水栓装置も複数種類存在する。水栓装置は、水栓装置の種類に応じて、使用可能な浄水カートリッジの種類が決められている。水栓装置は、自身の種類に対応した浄水カートリッジを用いることで、原水を浄化するとともに、浄化した水を自身の吐出口から吐出させることができる。
【００２３】
水栓装置が使用される水回りは、複数存在する。水栓装置が使用される水回りの場所は、例えば、キッチン、浴室、洗面所などである。使用可能な水栓装置の種類は、水回りの場所に応じて少なくとも一部が異っていてもよいし、水回りの場所に関わらず同じであってもよい。
【００２４】
情報取得部１０は、浄水カートリッジの種類を示す第１情報が入力操作部３によって入力されたことに基づき上記第１情報を取得する。この情報取得部１０は、所定期間における浄水の使用量を推定するための第２情報が入力操作部３によって入力されたことに基づき上記第２情報を取得する。
【００２５】
算出部１２は、情報取得部１０が取得した第１情報及び第２情報に基づき、特定期間において第１情報が示す浄水カートリッジの必要な数と、第１情報が示す浄水カートリッジの１つ当たりの使用可能期間とのうち少なくともいずれか一方である目安情報を算出する。表示制御部１４は、算出部１２による算出結果を示す情報を表示部５に表示させる。
【００２６】
更に、情報取得部１０は、水栓装置の種類を示す第３情報が入力操作部３によって入力されたことに基づき第３情報を取得する。表示制御部１４は、情報取得部１０によって取得された第３情報が示す水栓装置の種類に基づき、予め記憶された複数の第１情報のうち一部の第１情報が示す浄水カートリッジを選択肢として表示部５に表示させる。
【００２７】
例えば、メモリ１７は、水栓装置の種類ごとに、水栓装置に対応する浄水カートリッジを記憶する。表示制御部１４は、情報取得部１０によって取得された第３情報が示す水栓装置の種類に対応した浄水カートリッジを読み出すとともに、読み出した浄水カートリッジを選択肢として表示部５に表示させる。
【００２８】
また、算出部１２は、第３情報が示す水栓装置の種類に基づき、上記目安情報を算出する。例えば、メモリ１７は、第３情報ごとに、第３情報に対応する式を記憶する。算出部１２は、入力操作部３によって入力された第３情報に対応する式を読み出すとともに、読み出した式を用いて目安情報を算出する。また別の例として、メモリ１７は、目安情報を算出するための式を記憶するとともに、この式に用いる係数を第３情報ごとに記憶する。算出部１２は、式と、入力操作部３によって入力された第３情報に対応する係数とを読み出す。そして、算出部１２は、読み出した式及び係数を用いて目安情報を算出する。
【００２９】
更に、情報取得部１０は、水回りの場所を示す第４情報が入力操作部３によって入力されたことに基づき第４情報を取得する。そして、表示制御部１４は、情報取得部１０によって取得された第４情報が示す水回りの場所に基づき、予め記憶された複数の第１情報のうち一部の第１情報が示す浄水カートリッジを選択肢として表示部５に表示させる。
【００３０】
例えば、メモリ１７は、水回りの場所ごとに、水回りの場所に対応する浄水カートリッジを記憶する。表示制御部１４は、情報取得部１０によって取得された第４情報が示す水回りの場所に対応した浄水カートリッジを読み出すとともに、読み出した浄水カートリッジを選択肢として表示部５に表示させる。
【００３１】
また、算出部１２は、第４情報が示す水回りの場所に基づき、上記目安情報を算出する。例えば、算出部１２は、所定の式を用いて目安情報を算出する場合、第４情報に対応する式を用いて目安情報を算出する。また、別の例として、算出部１２は、所定の係数を含む式を用いて目安情報を算出する場合、第４情報に対応する係数を用いて目安情報を算出する。
【００３２】
次に、情報処理装置１の制御部７が行う処理について具体的に説明する。制御部７は、登録処理、診断処理及び登録後処理を行う。
【００３３】
＜登録処理＞
登録処理は、ユーザが利用している浄水カートリッジの種類を登録する処理である。制御部７は、登録処理において、水回りの場所を設定するための処理、水栓装置の種類を設定するための処理、浄水カートリッジの種類を設定するための処理、および浄水カートリッジの利用開始日を設定するための処理を行う。以下では、図３及び図４を用いて、登録処理について説明する。
【００３４】
制御部７は、登録処理において、まず、水回りの場所を設定するための処理を行う。制御部７は、水回りの場所を設定するための処理において、図３（Ａ）に示すように、水回りの場所をユーザに入力（選択）させるための画像２０を表示部５に表示させる。より具体的には、制御部７は、水回りの場所を示す複数の選択肢を表示部５に表示させる。制御部７は、図３（Ａ）に示す例では、キッチンを示す選択肢２０Ａと、浴室を示す選択肢２０Ｂとを表示部５に表示させている。制御部７は、表示部５に表示されたいずれかの選択肢が選択されると、選択された選択肢（水回りの場所）を上述した第４情報として取得する。
【００３５】
制御部７は、第４情報を取得した後（即ち、水回りの場所が選択された後）、水栓装置の種類を設定するための処理を行う。制御部７は、水栓装置の種類を設定するための処理において、図３（Ｂ）に示すように、水栓装置の種類を入力（選択）させるための画像２２を表示させる。より具体的には、制御部７は、水栓装置の種類を示す複数の選択肢を表示部５に表示させる。メモリ１７は、水回りの場所ごとに、水回りの場所を示す情報に対応付けて、少なくとも１つの水栓装置の種類を示す情報を記憶している。制御部７は、取得した第４情報に対応する水栓装置を選択肢として表示部５に表示させる。
【００３６】
制御部７は、図３（Ｂ）に示す例では、水栓装置の種類を示す選択肢２２Ａ〜２２Ｅを表示させる。制御部７は、選択肢２２Ａ〜２２Ｅの各々に、水栓装置の種類を識別するための識別情報（型番）を表示させる。制御部７は、図３（Ｂ）に示す例では、選択肢２２Ａに「ＸＸ−００１」を表示させ、選択肢２２Ｂに「ＸＸ−００２」を表示させ、選択肢２２Ｃに「ＸＸ−００３」を表示させ、選択肢２２Ｄに「ＸＸ−００４」を表示させ、選択肢２２Ｅに「ＸＸ−００５」を表示させている。
【００３７】
更に、制御部７は、選択肢２２Ａ〜２２Ｅの各々の近傍（図３（Ｂ）に示す例では選択肢２２Ａ〜２２Ｅの左側）に、選択肢２２Ａ〜２２Ｅの各々に対応する水栓装置の外観を表す画像２３Ａ〜２３Ｅを表示させる。制御部７は、水栓装置の外観を表す画像２３Ａ〜２３Ｅのいずれかが選択されると、選択された画像を拡大して表示させる。
【００３８】
制御部７は、選択肢２２Ａ〜２２Ｅのうちいずれかの選択肢が選択されると、選択された選択肢（水栓装置）を上述した第３情報として取得する。
【００３９】
制御部７は、第３情報を取得した後（即ち、水栓装置の種類が選択された後）、浄水カートリッジの種類を設定するための処理を行う。制御部７は、浄水カートリッジの種類を設定するための処理において、図３（Ｃ）に示すように、浄水カートリッジの種類をユーザに選択させるための画像２４を表示部５に表示させる。より具体的には、制御部７は、浄水カートリッジの種類を示す複数の選択肢を表示部５に表示させる。メモリ１７は、水栓装置の種類ごとに、水栓装置の種類を示す情報に対応付けて、少なくとも１つの浄水カートリッジの種類を示す情報を記憶している。制御部７は、取得した第３情報に対応する浄水カートリッジを選択肢として表示部５に表示させる。
【００４０】
制御部７は、図３（Ｃ）に示す例では、浄水カートリッジの種類を示す選択肢２４Ａ〜２４Ｃを表示させている。制御部７は、選択肢２４Ａ〜２４Ｃの各々に、水栓装置の種類を識別するための識別情報（品番）を表示させている。制御部７は、図３（Ｃ）に示す例では、選択肢２４Ａに「ＹＹ−０３」を表示させており、選択肢２４Ｂに「ＹＹ−０２」を表示させており、選択肢２４Ｃに「ＹＹ−０１」を表示させている。なお、浄水カートリッジは、塩素の除去率、除去可能な物質の数や種類などに応じて複数種類用意されている。
【００４１】
更に、制御部７は、選択肢２４Ａ〜２４Ｃの各々の近傍（図３（Ｃ）に示す例では選択肢２４Ａ〜２４Ｃの左側）に、選択肢２４Ａ〜２４Ｃの各々に対応する浄水カートリッジの外観を表す画像２５Ａ〜２５Ｃを表示させる。制御部７は、浄水カートリッジの外観を表す画像２５Ａ〜２５Ｃのうちいずれかの画像が選択された場合、選択された画像を拡大して表示させる。
【００４２】
制御部７は、選択肢２４Ａ〜２４Ｃのうちいずれかの選択肢が選択されると、選択された選択肢（浄水カートリッジ）を上述した第１情報として取得する。
【００４３】
制御部７は、第１情報を取得した後（即ち、浄水カートリッジの種類が選択された後）、浄水カートリッジの利用開始日を設定するための処理を行う。制御部７は、浄水カートリッジの利用開始日を設定するための処理において、図４（Ｄ）に示すように、浄水カートリッジの利用開始日をユーザに入力（選択）させるための画像２６を表示部５に表示させる。制御部７は、入力操作部３によって浄水カートリッジの利用開始日が入力されると、入力された利用開始日を取得する。
【００４４】
より具体的には、制御部７は、ユーザが浄水カートリッジの利用開始日を入力するための入力欄２６Ａ、ユーザが利用開始日を選択するための選択欄２６Ｂ、完了ボタン２６Ｃ、ユーザが選択した浄水カートリッジの種類を示す情報２６Ｄ、及びネクストボタン２６Ｅを表示させる。
【００４５】
制御部７は、入力欄２６Ａが操作されると、選択欄２６Ｂを表示部５に表示させる。制御部７は、選択欄２６Ｂに年月日を表示させる。制御部７は、選択欄２６Ｂに表示された年月日がスクロールされると、選択欄２６Ｂに表示された年月日を変更させる。制御部７は、完了ボタン２６Ｃが操作されると、選択欄２６Ｂに表示されている年月日が入力（選択）されたと判定し、入力（選択）された年月日を浄水カートリッジの利用開始日として設定する。
【００４６】
制御部７は、ネクストボタン２６Ｅが操作されると、図４（Ｅ）に示すように、浄水カートリッジの種類が登録されたことを示す画像２８を表示部５に表示させる。より具体的には、制御部７は、浄水カートリッジの種類が登録されたことを示す情報２８Ａ、別製品登録ボタン２８Ｂ及びネクストボタン２８Ｃを表示部５に表示させる。
【００４７】
制御部７は、浄水カートリッジの種類が登録されたことを示す情報２８Ａとして、チェックマーク、及び「利用している水栓を登録しました」という文字情報を表示部５に表示させる。制御部７は、別製品登録ボタン２８Ｂが操作されると、別製品（別の水回りの水栓装置）についての浄水カートリッジを登録するための処理を行う。別製品についての浄水カートリッジを登録する方法は、上述した登録方法と同じであるため説明を省略する。
【００４８】
制御部７は、ネクストボタン２８Ｃが操作されると、登録処理を終了して、診断処理に移る。なお、制御部７は、登録処理が終了したところで、診断処理を行うか否かを選択するための画像を表示部５に表示させてもよい。そして、制御部７は、診断処理を行うことが選択された場合に、診断処理に移る一方、診断処理を行わないことが選択された場合に、診断処理に移らないようにしてもよい。制御部７は、診断処理を行わないことが選択された場合に、登録後処理に移るようにしてもよい。
【００４９】
＜診断処理＞
診断処理は、浄水カートリッジの利用形態に基づいて、上述した目安情報を算出する処理である。以下では、図５〜図７を用いて、診断処理について説明する。
【００５０】
制御部７は、診断処理において、まず、診断する対象を設定するための処理を行う。制御部７は、診断する対象を設定するための処理において、図５（Ａ）に示すように、水回りの場所をユーザに入力（選択）させるための画像３０を表示部５に表示させる。より具体的には、制御部７は、水回りの場所を示す複数の選択肢を表示部５に表示させる。水回りの場所を示す複数の選択肢は、キッチンを示す選択肢３０Ａ、および浴室を示す選択肢３０Ｂである。更に、制御部７は、水回りの場所を選択するように促す情報３０Ｃを表示部５に表示させる。制御部７は、表示部５に表示された複数の選択肢のうちいずれかの選択肢が選択されると、選択された選択肢（水回りの場所）を上述した第４情報として取得する。
【００５１】
制御部７は、第４情報を取得した後（水回りの場所が選択された後）、第２情報を取得するための処理を行う。第２情報を取得するための処理は、取得した第４情報（水回りの場所）に応じて、異なるように設定されている。ここでは、まず、水回りの場所としてキッチンが選択された場合の処理について説明する。
【００５２】
制御部７は、キッチンが選択された場合の診断処理において、世帯人数、調理頻度、下準備における浄水の使用方法、および浄水を利用する料理の種類を第２情報として取得する処理を行う。
【００５３】
制御部７は、世帯人数を取得する処理において、図５（Ｂ）に示すように、ユーザの世帯人数を入力（選択）するための画像３２を表示部５に表示させる。制御部７は、世帯人数が入力されると、入力された世帯人数を第２情報として取得する。
【００５４】
より具体的には、制御部７は、図５（Ｂ）に示すように、世帯人数を入力するための入力欄３２Ａ、選択欄３２Ｂ、完了ボタン３２Ｃ、世帯人数を入力することをユーザに促す情報３２Ｄ、ネクストボタン３２Ｅを表示部５に表示させる。
【００５５】
制御部７は、入力欄３２Ａが操作されると、選択欄３２Ｂを表示させる。制御部７は、選択欄３２Ｂにおいて、世帯人数を示す複数の選択肢（例えば１〜７）のうちいずれか１つを表示させる。制御部７は、選択欄３２Ｂに表示された選択肢がスクロールされると、選択欄３２Ｂに表示された選択肢を変更させる。制御部７は、完了ボタン３２Ｃが操作されると、選択欄３２Ｂに表示されている選択肢が選択されたと判定し、選択された選択肢（世帯人数）を第２情報として取得する。
【００５６】
制御部７は、ネクストボタン３２Ｅが操作されると、調理頻度を取得する処理を行う。制御部７は、調理頻度を取得する処理において、図５（Ｃ）に示すように、調理頻度を入力するための画像３４を表示部５に表示させる。制御部７は、調理頻度が入力されると、入力された調理頻度を取得する。更に、調理頻度は、朝食、昼食、および夕食の各々について入力可能とされている。制御部７は、朝食、昼食、および夕食の各々について、入力された調理頻度を取得する。
【００５７】
より具体的には、制御部７は、図５（Ｃ）に示すように、朝食の調理頻度を入力するための入力欄３４Ａ、昼食の調理頻度を入力するための入力欄３４Ｂ、夕食の調理頻度を入力するための入力欄３４Ｃ、選択欄３４Ｄ、完了ボタン３４Ｅ、調理頻度の入力をユーザに促すための情報３４Ｆ及びネクストボタン３４Ｇを表示部５に表示させる。
【００５８】
制御部７は、入力欄３４Ａが操作されると、選択欄３４Ｄに調理頻度を示す選択肢を表示させる。調理頻度を示す選択肢は、例えば「ほぼ毎日」「週４〜５日程度」「週２〜３程度」「週１日程度」「ほとんどしない」などである。制御部７は、選択欄３４Ｄに１つの選択肢を表示させ、スクロールされると、選択欄３４Ｄに表示される選択肢を変更させる。制御部７は、完了ボタン３４Ｅが操作されると、選択欄３４Ｄに表示されている選択肢が選択されたと判定し、選択された選択肢（朝食の調理頻度）を第２情報として取得する。
【００５９】
入力欄３４Ｂは、昼食の調理頻度が入力される。入力欄３４Ｃは、夕食の調理頻度が入力される。入力方法は、入力欄３４Ａに対する入力方法と同様であるため、説明を省略する。制御部７は、入力欄３４Ｂに入力された選択肢（昼食の調理頻度）を第２情報として取得し、入力欄３４Ｃに入力された選択肢（夕食の調理頻度）を第２情報として取得する。
【００６０】
制御部７は、ネクストボタン３４Ｇが操作されると、下準備における浄水の使用方法を取得する処理を行う。制御部７は、下準備における浄水の使用方法を取得する処理において、図６（Ｄ）に示すように、下準備における浄水の使用方法をユーザに入力させるための画像３６を表示部５に表示させる。制御部７は、入力操作部３によって下準備における浄水の使用方法が入力（選択）されると、入力（選択）された下準備における浄水の使用方法を第２情報として取得する。
【００６１】
より具体的には、制御部７は、米とぎ（米洗い）における浄水の使用の有無を入力するための入力欄３６Ａ、食材の下洗いにおける浄水の使用の有無を入力するための入力欄３６Ｂ、選択欄３６Ｃ、完了ボタン３６Ｄ、浄水の使用方法の入力をユーザに促す情報３６Ｅ、およびネクストボタン３６Ｆを表示部５に表示させる。
【００６２】
制御部７は、入力欄３６Ａが操作されると、米とぎ（米洗い）に対応する選択肢を選択欄３６Ｃに表示させる。米とぎ（米洗い）に対応する選択肢は、例えば「水道水」「浄水」「米とぎしない（無洗米）」である。制御部７は、選択欄３６Ｃに１つの選択肢を表示させ、スクロールされると、選択欄３６Ｃに表示された選択肢を変更させる。制御部７は、完了ボタン３６Ｄが操作されると、選択欄３６Ｃに表示されている選択肢が選択されたと判定し、選択された選択肢（米とぎ（米洗い）における浄水の使用の有無）を第２情報として取得する。
【００６３】
入力欄３６Ｂは、食材の下洗いにおける浄水の使用の有無が入力される。入力欄３６Ｂに入力される選択肢は、例えば「水道水」「浄水」である。入力方法は、入力欄３６Ａに対する入力方法と同様であるため、説明を省略する。制御部７は、入力欄３６Ｂに入力された選択肢（食材の下洗いにおける浄水の使用の有無）を第２情報として取得する。
【００６４】
制御部７は、ネクストボタン３６Ｆが操作されると、浄水を利用する料理の種類を取得する処理を行う。制御部７は、浄水を利用する料理の種類を取得する処理において、図６（Ｅ）に示すように、浄水を利用する料理の種類を入力するための画像３８を表示部５に表示させる。制御部７は、浄水を利用する料理の種類が入力されると、入力された料理の種類を取得する。
【００６５】
より具体的には、制御部７は、選択欄３８Ａ，３８Ｂ，３８Ｃ，３８Ｄ，３８Ｅ，３８Ｆ，３８Ｇ（以下、３８Ａ〜３８Ｇともいう）、浄水を利用する料理の種類を入力するように促す情報３８Ｈ、およびネクストボタン３８Ｉを表示部５に表示させる。選択欄３８Ａ〜３８Ｇの各々は、料理の種類（例えば「煮物」「汁物」「蒸し物」「ごはん物」「麺物」「鍋物」「デザート」など）が対応付けられている。制御部７は、選択欄３８Ａ〜３８Ｇのうちいずれかの選択欄が選択されると、選択された選択欄に対応する料理の種類が選択されたと判定し、選択された料理の種類を第２情報として取得する。
【００６６】
制御部７は、第２情報を取得する処理が終了すると、取得した第２情報に基づいて目安情報を算出する。水回りの場所としてキッチンが選択された場合の目安情報は、特定期間における浄水カートリッジの必要な数Ｋｕ１、および浄水カートリッジの１つ当たりの使用可能期間Ｋｕ２を含む。
【００６７】
制御部７は、例えば以下の式（１）を用いて、特定期間における浄水カートリッジの必要な数Ｋｕ１を算出する。
Ｋｕ１＝（Ｊ１＋（Ｊ２×Ｊ３×Ｊ４））×Ｄ／Ａ・・・（１）
【００６８】
Ｊ１は、世帯人数に基づいて特定される世帯人数係数である。メモリ１７は、世帯人数に基づいて世帯人数係数を特定し得る情報を予め記憶している。制御部７は、ユーザに入力された世帯人数とメモリ１７に記憶された情報とに基づいてＪ１を特定する。例えば、メモリ１７は、個別世帯人数係数を予め記憶している。制御部７は、診断処理において選択された世帯人数に個別世帯人数係数を乗算することで算出する。
【００６９】
Ｊ２は、調理頻度に基づいて特定される調理頻度係数である。メモリ１７は、調理頻度に基づいて調理頻度係数を特定し得る情報を予め記憶している。制御部７は、ユーザに入力された調理頻度とメモリ１７に記憶された情報とに基づいてＪ２を特定する。例えば、メモリ１７は、調理頻度を示す選択肢の各々に対応付けて調理頻度係数を予め記憶している。本実施例では、調理頻度は、朝食、昼食および夕食の各々について入力可能とされている。このため、メモリ１７は、朝食、昼食および夕食の各々について、調理頻度を示す選択肢の各々に対応する個別調理頻度係数を予め記憶している。制御部７は、例えば朝食、昼食および夕食の各々に対応する個別調理頻度係数を合算することでＪ２を算出する。
【００７０】
Ｊ３は、下準備における浄水の使用方法に基づいて特定される料理下準備係数である。メモリ１７は、下準備における浄水の使用方法に基づいて料理下準備係数を特定し得る情報を予め記憶している。制御部７は、ユーザに入力された下準備における浄水の使用方法とメモリ１７に記憶された情報とに基づいてＪ３を特定する。例えば、メモリ１７は、下準備における浄水の使用方法に対応付けて料理下準備係数を記憶している。例えば、メモリ１７は、下準備の種類ごとに、下準備の種類に対応付けて個別料理下準備係数を記憶している。制御部７は、診断処理において浄水を使用することが選択された下準備に対応する個別料理下準備係数を合算することでＪ３を算出する。
【００７１】
Ｊ４は、料理の種類に基づいて特定される料理種類係数である。メモリ１７は、料理の種類に基づいて料理種類係数を特定し得る情報を予め記憶している。制御部７は、ユーザに入力された料理の種類とメモリ１７に記憶された情報とに基づいてＪ４を特定する。例えば、メモリ１７は、料理の種類を示す選択肢の各々に対応付けて個別料理種類係数を予め記憶している。制御部７は、診断処理において選択された料理の種類に対応する個別料理種類係数を合算することでＪ４を算出する。
【００７２】
Ｄは、特定期間（例えば３６５日）である。
【００７３】
Ａは、浄水カートリッジ１つ当たりの原水を浄化可能な水量である。メモリ１７は、浄水カートリッジの種類ごとに、浄水カートリッジ１つ当たりの原水を浄化可能な水量を予め記憶している。制御部７は、第１情報が示す浄水カートリッジに対応する「浄水カートリッジ１つ当たりの原水を浄化可能な水量」をＡとして設定する。
【００７４】
「Ｊ１＋（Ｊ２×Ｊ３×Ｊ４）」は、単位期間（一日）当たりの浄水の使用量を表す。Ｊ１は、単位期間（一日）当たりの浄水の使用量のうち、世帯人数に応じて変動しやすい要素に基づく使用量を表す。「Ｊ２×Ｊ３×Ｊ４」は、単位期間（一日）当たりの浄水の使用量のうち、世帯人数に応じて変動しにくい要素に基づく使用量を表す。
【００７５】
制御部７は、式（１）にＪ１、Ｊ２、Ｊ３、Ｊ４、Ｄ、およびＡを代入することで、特定期間における浄水カートリッジの必要な数Ｋｕ１を算出する。
【００７６】
また、制御部７は、例えば以下の式（２）を用いて、浄水カートリッジの１つ当たりの使用可能期間Ｋｕ２を算出する。
Ｋｕ２＝Ａ／（Ｊ１＋（Ｊ２×Ｊ３×Ｊ４））・・・（２）
なお、Ｊ１、Ｊ２、Ｊ３、Ｊ４、およびＡの定義は、上記式（１）におけるＪ１、Ｊ２、Ｊ３、Ｊ４、およびＡの定義と同じである。
【００７７】
制御部７は、図６（Ｅ）に示すネクストボタン３８Ｉが操作されると、図６（Ｆ）に示すように、診断結果を示す画像４０を表示部５に表示させる。より具体的には、制御部７は、診断結果を示す情報４０Ａ、診断の対象とした水回りの場所を示す情報４０Ｂ、および診断終了ボタン４０Ｃを表示部５に表示させる。診断結果を示す情報４０Ａは、例えば浄水カートリッジ１つ当たりの使用可能期間を示す情報である。
【００７８】
制御部７は、診断結果を示す情報４０Ａとして、式（２）を用いて算出した「浄水カートリッジの１つ当たりの使用可能期間Ｋｕ２」を表示部５に表示させる。制御部７は、図６（Ｆ）に示す例では、診断結果を示す情報４０Ａとして、「浄水を継続利用するために３カ月に１回のカートリッジ交換をおすすめします」という文字情報を表示部５に表示させている。制御部７は、診断終了ボタン４０Ｃが操作されると、診断処理を終了する。
【００７９】
水回りの場所としてキッチンが選択された場合の診断処理は、以上のようにして行われる。他方、制御部７は、水回りの場所として浴室が選択された場合（即ち、図３（Ａ）の浴室を示す選択肢２０Ｂが選択された場合）、以下の処理を行う。
【００８０】
制御部７は、水回りの場所として浴室が選択された場合の診断処理において、世帯人数、髪の長さ、および入浴頻度を第２情報として取得する処理を行う。
【００８１】
制御部７は、世帯人数を取得する処理において、図７（Ａ）に示すように、世帯人数を入力するための画像４２を表示部５に表示させる。制御部７は、入力操作部３によって入力された世帯人数を第２情報として取得する。世帯人数は、男性、女性、及び子供に分類して入力可能となっている。制御部７は、男性、女性、及び子供の各々について、入力された人数を第２情報として取得する。
【００８２】
より具体的には、制御部７は、男性の人数を入力するための入力欄４２Ａ、女性の人数を入力するための入力欄４２Ｂ、子供の人数を入力するための入力欄４２Ｃ、世帯人数の入力を促すための情報４２Ｄ、およびネクストボタン４２Ｅを表示部５に表示させる。
【００８３】
制御部７は、入力欄４２Ａが操作されると、表示部５にテンキーを表示させる。制御部７は、テンキーによって入力された値を、男性の人数（第２情報）として取得する。制御部７は、入力欄４２Ａの場合と同様に、入力欄４２Ｂに入力された値を女性の人数（第２情報）として取得する。また、制御部７は、入力欄４２Ｃに入力された値を子供の人数（第２情報）として取得する。
【００８４】
制御部７は、ネクストボタン４２Ｅが操作されると、髪の長さを取得する処理を行う。制御部７は、髪の長さを取得する処理において、図７（Ｂ）に示すように、髪の長さを入力させるための画像４４を表示部５に表示させる。制御部７は、入力操作部３によって入力された髪の長さを第２情報として取得する。髪の長さは、世帯の構成員ごとに入力可能となっている。制御部７は、世帯の構成員ごとに、入力された髪の長さを取得する。
【００８５】
より具体的には、制御部７は、髪の長さを入力するための入力欄４４Ａ、選択欄４４Ｅ、完了ボタン４４Ｆ、髪の長さの入力をユーザに促す情報４４Ｇ、およびネクストボタン４４Ｈを表示部５に表示させる。制御部７は、入力欄４４Ａが操作されると、選択欄４４Ｅに髪の長さを示す選択肢を表示させる。選択肢は、例えば「ショート」「ミディアム」「ロング」などである。制御部７は、選択欄４４Ｅに１つの選択肢を表示させ、スクロールされると、選択欄４４Ｅに表示された選択肢を変更させる。制御部７は、完了ボタン４４Ｆが操作されると、選択欄４４Ｅに表示されている選択肢が選択されたと判定する。制御部７は、選択された選択肢（髪の長さ）を第２情報として取得する。
【００８６】
制御部７は、ネクストボタン４４Ｈが操作されると、入浴頻度を取得する処理を行う。制御部７は、入浴頻度を取得する処理において、図７（Ｃ）に示すように、入浴頻度を入力させるための画像４６を表示部５に表示させる。制御部７は、入力操作部３によって入力された入浴頻度を第２情報として取得する。
【００８７】
より具体的には、制御部７は、入浴頻度を入力するための入力欄４６Ａ、選択欄４６Ｂ、完了ボタン４６Ｃ、入浴頻度の入力を促すための情報４６Ｄ、選択肢を説明する情報４６Ｅ、およびネクストボタン４６Ｆを表示部５に表示させる。
【００８８】
制御部７は、入力欄４６Ａが操作されると、選択欄４６Ｂを表示部５に表示させる。制御部７は、選択欄４６Ｂに入浴頻度を示す選択肢を表示させる。選択肢は、例えば一週間に入浴する回数を示す選択肢であり、図７（Ｃ）に示す例では「０〜１回程度」「２〜３回程度」「４〜５回程度」「６〜７回程度」などである。制御部７は、選択欄４６Ｂに１つの選択肢を表示させ、スクロールされると、選択欄４６Ｂに表示された選択肢を変更させる。制御部７は、完了ボタン４６Ｃが操作されると、選択欄４６Ｂに表示されている選択肢が選択されたと判定する。制御部７は、選択された選択肢（入浴頻度）を第２情報として取得する。
【００８９】
制御部７は、第２情報を取得する処理が終了すると、取得した第２情報に基づいて目安情報を算出する。水回りの場所として浴室が選択された場合の目安情報は、特定期間における浄水カートリッジの必要な数Ｐｕ１、および浄水カートリッジの１つ当たりの使用可能期間Ｐｕ２を含む。
【００９０】
制御部７は、例えば以下の式（３）を用いて、特定期間における浄水カートリッジの必要な数Ｐｕ１を算出する。
Ｐｕ１＝（Ｋ１×Ｋ２×Ｋ３）×Ｄ／Ａ・・・（３）
【００９１】
Ｋ１は、世帯人数に基づいて特定される使用者係数である。メモリ１７は、世帯人数に基づいて使用者係数を特定し得る情報を予め記憶している。制御部７は、ユーザに入力された世帯人数とメモリ１７に記憶された情報とに基づいてＫ１を特定する。例えば、メモリ１７は、男性、女性および子供の各々に対応付けて個別使用者係数を予め記憶している。制御部７は、診断処理で取得した第２情報が示す男性、女性および子供の各々の人数に、各々の個別使用者係数を乗算し、乗算値の各々を合算することでＫ１を算出する。
【００９２】
Ｋ２は、髪の長さに基づいて特定される使用時間係数である。メモリ１７は、髪の長さに基づいて使用時間係数を特定し得る情報を予め記憶している。制御部７は、ユーザに入力された髪の長さとメモリ１７に記憶された情報とに基づいてＫ２を特定する。例えば、メモリ１７は、髪の長さを示す選択肢ごとに、髪の長さに対応する個別使用時間係数を予め記憶している。制御部７は、世帯の構成員の各々に対応する個別使用時間係数を全て合算することでＫ２を算出する。
【００９３】
Ｋ３は、入浴頻度に基づいて特定される使用頻度係数である。メモリ１７は、入浴頻度に基づいて入浴頻度係数を特定し得る情報を予め記憶している。制御部７は、ユーザに入力された入浴頻度とメモリ１７に記憶された情報とに基づいてＫ３を特定する。例えば、メモリ１７は、入浴頻度を示す選択肢ごとに、入浴頻度に対応する個別使用頻度係数を予め記憶している。制御部７は、診断処理で取得した第２情報が示す世帯の構成員の各々に対応する個別使用頻度係数を全て合算することでＫ３を算出する。
【００９４】
Ｄは、特定期間（例えば３６５日）である。
【００９５】
Ａは、浄水カートリッジ１つ当たりの原水を浄化可能な水量である。メモリ１７は、浄水カートリッジの種類ごとに、浄水カートリッジ１つ当たりの原水を浄化可能な水量を予め記憶している。制御部７は、登録処理で取得した第１情報が示す浄水カートリッジに対応する「浄水カートリッジ１つ当たりの原水を浄化可能な水量」をＡとして設定する。
【００９６】
「Ｋ１×Ｋ２×Ｋ３」は、単位期間（一日）当たりの浄水の使用量を表す。
【００９７】
制御部７は、式（３）にＫ１、Ｋ２、Ｋ３、Ｄ、およびＡを代入することで、特定期間における浄水カートリッジの必要な数Ｐｕ１を算出する。
【００９８】
また、制御部７は、例えば以下の式（４）を用いて、浄水カートリッジの１つ当たりの使用可能期間Ｐｕ２を算出する。
Ｐｕ２＝Ａ／（Ｋ１×Ｋ２×Ｋ３）・・・（４）
なお、Ｋ１、Ｋ２、Ｋ３、およびＡの定義は、上記式（３）におけるＫ１、Ｋ２、Ｋ３、およびＡの定義と同じである。
【００９９】
制御部７は、式（４）にＫ１、Ｋ２、Ｋ３、およびＡを代入することで、浄水カートリッジの１つ当たりの使用可能期間Ｐｕ２を算出する。
【０１００】
制御部７は、図７（Ｃ）に示すネクストボタン３８Ｉが操作されると、図７（Ｄ）に示すように、診断結果を示す画像４８を表示部５に表示させる。より具体的には、制御部７は、診断結果を示す情報４８Ａ、診断の対象とした水回りの場所を示す情報４８Ｂ、および診断終了ボタン４８Ｃを表示部５に表示させる。診断結果を示す情報４８Ａは、例えば浄水カートリッジ１つ当たりの使用可能期間を示す情報である。
【０１０１】
制御部７は、診断結果を示す情報４０Ａとして、式（４）を用いて算出した「浄水カートリッジの１つ当たりの使用可能期間Ｐｕ２」を表示部５に表示させる。制御部７は、図６（Ｆ）に示す例では、診断結果を示す情報４８Ａとして、「浄水を継続利用するために１．５カ月に１回のカートリッジ交換をおすすめします」という文字情報を表示部５に表示させている。制御部７は、診断終了ボタン４８Ｃが操作されると、診断処理を終了する。
【０１０２】
＜登録後処理＞
制御部７は、登録処理後、または診断処理後に登録後処理を行う。制御部７は、登録後処理において、図８（Ａ）に示すように、浄水カートリッジの交換予定時期の目安を示す画像５０を表示部５に表示させる。
【０１０３】
より具体的には、制御部７は、水回りの場所を示す情報５０Ａ、水栓装置の種類を示す情報５０Ｂ、浄水カートリッジの交換予定時期を示す情報５０Ｃ，５０Ｄ，５０Ｅ、診断ボタン５０Ｆ、カートリッジ購入ボタン５０Ｇ、およびカートリッジ交換方法ボタン５０Ｈを表示部５に表示させる。
【０１０４】
浄水カートリッジの交換予定時期を示す情報５０Ｃは、浄水カートリッジの交換予定日を示す文字情報である。浄水カートリッジの交換予定時期を示す情報５０Ｄは、浄水カートリッジの交換予定時期を示す情報５０Ｃの周囲を囲む環状のメータである。制御部７は、浄水カートリッジが交換された時点では、浄水カートリッジの交換予定時期を示す情報５０Ｄの全体を第１の色で表示する。制御部７は、交換予定時期が近付くにつれて、浄水カートリッジの交換予定時期を示す情報５０Ｄの色を、部分的に第１の色から第２の色に変更する。浄水カートリッジの交換予定時期を示す情報５０Ｄは、交換予定時期が近付くにつれて、第２の色で表示される部分の割合が大きくなる。浄水カートリッジの交換予定時期を示す情報５０Ｄは、交換予定時期になると、全体が第２の色で表示される。
【０１０５】
浄水カートリッジの交換予定時期を示す情報５０Ｅは、背景である。制御部７は、浄水カートリッジの交換予定時期に近づくにつれて、浄水カートリッジの交換予定時期を示す情報５０Ｅの表示態様を変化させる。例えば、制御部７は、浄水カートリッジの交換予定時期に近づくにつれて、浄水カートリッジの交換予定時期を示す情報５０Ｅの背景色を変化させる。また、別の例として、制御部７は、背景色を周期的に変化させる構成を含む場合において、浄水カートリッジの交換予定時期に近づくにつれて、周期を短くする。
【０１０６】
制御部７は、交換予定時期に近づいた場合（例えば、交換予定時期の所定日数前になった場合）、図８（Ｂ）に示すように、交換予定時期が近付いていることを示す画像５２を表示部５に表示させる。より具体的には、制御部７は、画像５０の明度を下げた画像とともに、交換予定時期が近付いたことを示す情報５２Ａを表示部５に表示させる。交換予定時期が近付いたことを示す情報５２Ａは、例えば「交換時期が近づいてきました。浄水カートリッジの準備をお願いします。」という文字情報である。制御部７は、確認ボタン５２Ｂが操作されると、交換予定時期が近付いたことを示す情報５２Ａを表示部５から消去する。
【０１０７】
制御部７は、交換予定時期が近付いたことを示す情報５２Ａを表示部５から消去した後、浄水カートリッジの交換予定時期を示す画像５４を表示部５に表示させる。また、制御部７は、交換予定時期が近付いていることをユーザに対して報知するために、カートリッジ購入ボタン５０Ｇを点滅させる。
【０１０８】
制御部７は、カートリッジの交換予定時期が過ぎると、交換予定時期が過ぎたことを示す画像５６を表示部５に表示させる。より具体的には、制御部７は、画像５０の明度を下げた画像とともに、交換予定時期が過ぎたことを示す情報５６Ａを表示部５に表示させる。交換予定時期が過ぎたことを示す情報５６Ａは、例えば「交換時期がすぎています。浄水カートリッジの交換をお願いします。」という文字情報である。
【０１０９】
なお、制御部７は、診断ボタン５０Ｆが操作されると、診断処理を行う。制御部７は、カートリッジ購入ボタン５０Ｇが操作されると、カートリッジを購入するためのウェブサイトを表示部５に表示させる。制御部７は、カートリッジ交換方法ボタン５０Ｈが操作されると、カートリッジの交換方法を紹介したウェブサイトを表示部５に表示させる。
【０１１０】
次に、実施例１の情報処理装置１の効果について説明する。
実施例１の情報処理装置１は、情報取得部１０と算出部１２とを備える。情報取得部１０は、浄水カートリッジの種類を示す第１情報が入力操作部３によって入力されたことに基づき第１情報を取得する。また、情報取得部１０は、所定期間における浄水の使用量を推定するための第２情報が入力操作部３によって入力されたことに基づき第２情報を取得する。算出部１２は、情報取得部１０が取得した第１情報及び第２情報に基づき、特定期間における第１情報が示す浄水カートリッジの必要な数と、第１情報が示す浄水カートリッジの１つ当たりの使用可能期間とのうち少なくともいずれか一方である目安情報を算出する。
【０１１１】
この情報処理装置１は、ユーザが入力操作部３によって浄水カートリッジの種類を示す第１情報、及び所定期間における浄水の使用量を推定するための第２情報を入力した場合に、これらの第１情報及び第２情報を情報取得部１０によって取得する。そして、算出部１２が、上記第１情報及び上記第２情報に基づき、特定期間における上記第１情報が示す浄水カートリッジの必要な数と、第１情報が示す浄水カートリッジの１つ当たりの使用可能期間とのうち少なくともいずれか一方である目安情報を算出する。即ち、ユーザは、入力操作部３によって第１情報及び第２情報を入力するだけで、上記目安情報を情報処理装置１に算出させることができる。したがって、ユーザは、情報処理装置１に算出させた目安情報をもとに、浄水カートリッジの適切な購入数を容易に把握することができる。
【０１１２】
情報取得部１０は、浄水カートリッジが用いられる水栓装置の種類を示す第３情報が入力操作部３によって入力されたことに基づき第３情報を取得する。情報処理装置１は、表示制御部１４を備える。表示制御部１４は、情報取得部１０によって取得された第３情報が示す水栓装置の種類に基づき、予め記憶された複数の第１情報のうち一部の第１情報が示す浄水カートリッジを選択肢として表示部５に表示させる。
【０１１３】
この構成によれば、この情報処理装置１は、浄水カートリッジが用いられる水栓装置の種類に基づき、複数種類の浄水カートリッジのうち一部の浄水カートリッジを選択肢としてユーザに提示することができる。このため、この情報処理装置１は、全ての浄水カートリッジを選択肢として表示させる場合と比較して、ユーザが自身の利用する浄水カートリッジを見つける作業を軽減することができる。
【０１１４】
情報取得部１０は、浄水カートリッジが用いられる水栓装置の種類を示す第３情報が入力操作部３によって入力されたことに基づき第３情報を取得する。算出部１２は、情報取得部１０によって取得された第３情報が示す水栓装置の種類に基づき、上記目安情報を算出する。
【０１１５】
この構成によれば、この情報処理装置１の算出部１２は、ユーザによって選択された水栓装置の種類に基づき、上記目安情報を算出することができる。このため、この情報処理装置１は、ユーザが入力操作部３によって選択した水栓装置の種類を、算出部１２の算出結果に反映させることができる。
【０１１６】
情報取得部１０は、浄水カートリッジが用いられる水回りの場所を示す第４情報が入力操作部３によって入力されたことに基づき第４情報を取得する。本発明の情報処理装置１は、表示制御部１４を備える。表示制御部１４は、情報取得部１０によって取得された第４情報が示す水回りの場所に基づき、予め記憶された複数の第１情報のうち一部の第１情報が示す浄水カートリッジを選択肢として表示部５に表示させる。
【０１１７】
この構成によれば、この情報処理装置１は、浄水カートリッジが用いられる水回りの場所に基づき、複数種類の浄水カートリッジのうち一部の浄水カートリッジを選択肢としてユーザに提示することができる。この情報処理装置１は、全ての浄水カートリッジを選択肢として表示させる場合と比較して、ユーザが自身の利用する浄水カートリッジを見つける作業を軽減することができる。
【０１１８】
情報取得部１０は、浄水カートリッジが用いられる水回りの場所を示す第４情報が入力操作部３によって入力されたことに基づき第４情報を取得する。算出部１２は、情報取得部１０によって取得された第４情報が示す水回りの場所に基づき、上記目安情報を算出する。
【０１１９】
この構成によれば、この情報処理装置１の算出部１２は、ユーザによって選択された水回りの場所に基づき、上記目安情報を算出することができる。このため、この情報処理装置１は、ユーザが入力操作部３によって選択した水回りの場所を、算出部１２の算出結果に反映させることができる。
【０１２０】
＜他の実施例＞
本発明は上記記述及び図面によって説明した実施例１に限定されるものではなく、例えば次のような実施例も本発明の技術的範囲に含まれる。
（１）上述した実施例１では、改質水カートリッジを浄水カートリッジとして説明したが、浄水カートリッジ以外の改質水カートリッジを適用させてもよい。例えば、硬水を軟水に改質させる改質水カートリッジを適用させてもよい。
（２）上述した実施例１では、目安情報を算出するための式及びこの式に用いる係数が、診断処理で取得された第３情報及び第４情報に関わらず定まるようにしたが、診断処理で取得された第３情報及び第４情報のうち少なくともいずれか一方に基づいて変化するようにしてもよい。
（３）上述した実施例１では、目安情報の算出において、取得した全ての第２情報を利用するようにしたが、一部の第２情報のみを利用するようにしてもよい。換言すると、制御部は、診断処理において、目安情報の算出に利用しない情報を取得するようにしてもよい。例えば、算出部は、キッチンが選択された場合の診断処理において、世帯人数、調理頻度、下準備における浄水の使用方法、および浄水を利用する料理の種類のうちの一部の第２情報に基づいて目安情報を算出するようにしてもよい。また、別の例として、算出部は、浴室が選択された場合の診断処理において、世帯人数、髪の長さ、および入浴頻度のうちの一部の第２情報に基づいて目安情報を算出するようにしてもよい。
（４）上述した実施例１では、登録後処理において、浄水カートリッジの交換予定時期を示す情報として、浄水カートリッジの交換予定日を表示部に表示するようにしたが、交換予定時期までの残り期間（日数）を表示部に表示するようにしてもよい。
（５）上述した実施例１では、診断結果を示す情報（目安情報）として、「浄水カートリッジの１つ当たりの使用可能期間」を表示するようにしたが、「特定期間における浄水カートリッジの必要な数」を表示させるようにしてもよい。
（６）上述した実施例１では、登録処理と診断処理とを個別に行うようにしたが、１つの処理としてまとめて行うようにしてもよい。この場合、水回りの場所を入力させる処理は１回でよい。
（７）上述した実施例１では、情報処理装置をスマートフォンとしたが、タブレットＰＣやノート型ＰＣ等の携帯型の情報端末としてもよいし、非携帯型のデスクトップＰＣ等の情報端末としてもよい。
（８）上述した実施例１では、スマートフォン（情報端末）を情報処理装置としたが、スマートフォン（情報端末）と通信可能な装置（例えばサーバ装置）を情報処理装置としてもよい。この場合、例えば、サーバ装置（情報処理装置）が、スマートフォン（情報端末）の入力操作部によって入力された情報を受信して、この受信した情報に基づき、算出部による算出を行ってもよい。
【符号の説明】
【０１２１】
１…情報処理装置
３…入力操作部
５…表示部
７…制御部
１０…情報取得部
１２…算出部
１４…表示制御部
１６…プロセッサ
１７…メモリ
１８…プログラム
【図１】
2020121258.tif 000003
【図２】
2020121258.tif 000004
【図３】
2020121258.tif 000005
【図４】
2020121258.tif 000006
【図５】
2020121258.tif 000007
【図６】
2020121258.tif 000008
【図７】
2020121258.tif 000009
【図８】
2020121258.tif 000010